(57)【要約】【課題】複数の表示パネルを重ね合わせて構成された液晶表示装置において、画素の開口率を低下させることなく混色を抑える。【解決手段】液晶表示装置は、第１の色に対応する第１画素、第２の色に対応する第２画素、及び、第３の色に対応する第３画素を含む複数の画素と、第１ブラックマトリクスとを備え、カラー画像を表示する第１表示パネルと、複数の画素と、第２ブラックマトリクスとを備え、白黒画像を表示する第２表示パネルと、を含み、前記第１の色の視感度は、前記第２の色の視感度より高く、かつ、前記第３の色の視感度より高く、前記第２ブラックマトリクスは、平面視で、前記第１画素と、前記第１画素の両側にそれぞれ配置される前記第２画素及び前記第３画素とを含む３個の画素を囲むように形成されている。【選択図】図１０
2018072755.tif 000002
【特許請求の範囲】
【請求項１】
複数の表示パネルが重ね合わされて配置され、それぞれの前記表示パネルに画像を表示する液晶表示装置であって、
第１の色に対応する第１画素、第２の色に対応する第２画素、及び、第３の色に対応する第３画素を含む複数の画素と、第１ブラックマトリクスとを備え、カラー画像を表示する第１表示パネルと、
複数の画素と、第２ブラックマトリクスとを備え、白黒画像を表示する第２表示パネルと、
を含み、
前記第１の色の視感度は、前記第２の色の視感度より高く、かつ、前記第３の色の視感度より高く、
前記第２ブラックマトリクスは、平面視で、前記第１画素と、前記第１画素の両側にそれぞれ配置される前記第２画素及び前記第３画素とを含む３個の画素を囲むように形成されている、
ことを特徴とする液晶表示装置。
【請求項２】
前記第２ブラックマトリクスは、平面視で、前記第２画素と前記第３画素との境界に重なる部分に形成されており、前記第１画素と前記第１画素に隣接する画素との境界に重なる部分に形成されていない、
ことを特徴とする請求項１に記載の液晶表示装置。
【請求項３】
前記第１表示パネルは、各々が第１方向に延在し、且つ、前記第１方向に交差する第２方向に並べて配置された複数のソース線をさらに含み、
前記第２表示パネルは、各々が前記第１方向に延在し、且つ、前記第２方向に並べて配置された複数のソース線をさらに含み、
前記第２ブラックマトリクスにおける前記第１方向に延在する部分の少なくとも一部の前記第２方向の間隔は、前記第１表示パネル及び前記第２表示パネルそれぞれにおける前記複数のソース線の前記第２方向の間隔の３倍である、
ことを特徴とする請求項１に記載の液晶表示装置。
【請求項４】
前記第１表示パネルは、各々が第１方向に延在し、且つ、前記第１方向に交差する第２方向に並べて配置された複数のソース線をさらに含み、
前記第２表示パネルは、各々が前記第１方向に延在し、且つ、前記第２方向に並べて配置された複数のソース線をさらに含み、
前記第２ブラックマトリクスにおける前記第１方向に延在する部分の前記第２方向の長さは、前記第１ブラックマトリクスにおける前記第１方向に延在する部分の前記第２方向の長さより短い、
ことを特徴とする請求項１に記載の液晶表示装置。
【請求項５】
前記複数の画素は、さらに、前記第１の色の視感度より低い視感度である第４の色に対応する第４画素を含み、
前記第１画素は白色画素又は黄色画素であり、前記第２画素は赤色画素であり、前記第３画素は緑色画素であり、前記第４画素は青色画素であり、
前記第１画素、前記第２画素、前記第３画素、及び前記第４画素が、この順に繰り返し配列されており、
前記第２ブラックマトリクスは、平面視で、前記第２画素と前記第３画素との境界に重なる部分と、前記第３画素と前記第４画素との境界に重なる部分とに形成されている、
ことを特徴とする請求項１に記載の液晶表示装置。
【請求項６】
前記第２ブラックマトリクスは、平面視で、前記第１画素と前記第４画素との境界に重なる部分と、前記第１画素と前記第２画素との境界に重なる部分とに形成されていない、
ことを特徴とする請求項４に記載の液晶表示装置。
【請求項７】
さらに、前記第２ブラックマトリクスは、平面視で、前記第１画素と前記第４画素との境界に重なる部分と、前記第１画素と前記第２画素との境界に重なる部分とに形成されている、
ことを特徴とする請求項５に記載の液晶表示装置。
【請求項８】
前記第２表示パネルの前記複数の画素それぞれの面積は、前記第１画素の面積と前記第２画素の面積と前記第３画素の面積と前記第４画素の面積とを合計した面積に等しい、
ことを特徴とする請求項５に記載の液晶表示装置。
【請求項９】
前記第１画素は緑色画素であり、前記第２画素は赤色画素であり、前記第３画素は青色画素であり、
前記第２画素、前記第１画素、及び前記第３画素が、この順に繰り返し配列されており、
前記第２ブラックマトリクスは、平面視で、前記第２画素と前記第３画素との境界に重なる部分に形成されている、
ことを特徴とする請求項１に記載の液晶表示装置。
【請求項１０】
前記第２ブラックマトリクスは、平面視で、前記第１画素と前記第２画素との境界に重なる部分と、前記第１画素と前記第３画素との境界に重なる部分とに形成されていない、
ことを特徴とする請求項９に記載の液晶表示装置。
【請求項１１】
さらに、前記第２ブラックマトリクスは、平面視で、前記第１画素と前記第２画素との境界に重なる部分と、前記第１画素と前記第３画素との境界に重なる部分とに形成されている、
ことを特徴とする請求項９に記載の液晶表示装置。
【請求項１２】
前記第２表示パネルの前記複数の画素それぞれの面積は、前記第１画素の面積と前記第２画素の面積と前記第３画素の面積とを合計した面積に等しい、
ことを特徴とする請求項９に記載の液晶表示装置。
【請求項１３】
前記第２表示パネルにおける単位面積当たりの前記画素の数は、前記第１表示パネルにおける単位面積当たりの前記画素の数より少ない、
ことを特徴とする請求項１に記載の液晶表示装置。
【発明の詳細な説明】
【技術分野】
【０００１】
本発明は、液晶表示装置に関する。
【背景技術】
【０００２】
従来、液晶表示装置において、混色の問題が知られている。例えば、赤色画素、緑色画素、青色画素、白色画素を含む液晶表示装置において、赤色の単色画像を表示した場合に、観察者が見る方向によって、赤色画素の領域を透過する光と、赤色画素に隣接する白色画素の領域を透過する光とが混合して、輝度ムラのある赤色画像が視認される場合がある。上記混色は、例えば薄膜トランジスタ基板と対向基板との位置合わせずれ等により生じ、特に表示パネルを斜め方向から見た場合に視認され易い。従来、上記混色を抑える方法として、例えば、相対的に視感度が高い白色画素を囲むブラックマトリクスの幅を大きくする方法が提案されている。しかし、ブラックマトリクスの幅を大きくすると画素の開口率が低下するという問題が生じる。
【０００３】
また従来、液晶表示装置のコントラストを向上させる技術として、２枚の表示パネルを重ね合わせて、入力映像信号に基づいて、それぞれの表示パネルに画像を表示させる技術が提案されている（例えば特許文献１参照）。具体的には例えば、前後に配置された２枚の表示パネルのうち前側（観察者側）の表示パネルにカラー画像を表示し、後側（バックライト側）の表示パネルに白黒画像を表示することによって、コントラストの向上を図るものである。
【先行技術文献】
【特許文献】
【０００４】
【特許文献１】ＷＯ２００７／０４０１２７号公報
【発明の概要】
【発明が解決しようとする課題】
【０００５】
２枚の表示パネルを備える液晶表示装置においても、１枚の表示パネルを備える液晶表示装置と同様に、上記混色及び画素の開口率の低下の問題が生じる。
【０００６】
本発明は、上記実情に鑑みてなされたものであり、その目的は、複数の表示パネルを重ね合わせて構成された液晶表示装置において、画素の開口率を低下させることなく混色を抑えることにある。
【課題を解決するための手段】
【０００７】
上記課題を解決するために、本発明に係る液晶表示装置は、複数の表示パネルが重ね合わされて配置され、それぞれの前記表示パネルに画像を表示する液晶表示装置であって、第１の色に対応する第１画素、第２の色に対応する第２画素、及び、第３の色に対応する第３画素を含む複数の画素と、第１ブラックマトリクスとを備え、カラー画像を表示する第１表示パネルと、複数の画素と、第２ブラックマトリクスとを備え、白黒画像を表示する第２表示パネルと、を含み、前記第１の色の視感度は、前記第２の色の視感度より高く、かつ、前記第３の色の視感度より高く、前記第２ブラックマトリクスは、平面視で、前記第１画素と、前記第１画素の両側にそれぞれ配置される前記第２画素及び前記第３画素とを含む３個の画素を囲むように形成されている、ことを特徴とする。
【０００８】
本発明に係る液晶表示装置では、前記第２ブラックマトリクスは、平面視で、前記第２画素と前記第３画素との境界に重なる部分に形成されており、前記第１画素と前記第１画素に隣接する画素との境界に重なる部分に形成されていなくてもよい。
【０００９】
本発明に係る液晶表示装置では、前記第１表示パネルは、各々が第１方向に延在し、且つ、前記第１方向に交差する第２方向に並べて配置された複数のソース線をさらに含み、前記第２表示パネルは、各々が前記第１方向に延在し、且つ、前記第２方向に並べて配置された複数のソース線をさらに含み、前記第２ブラックマトリクスにおける前記第１方向に延在する部分の少なくとも一部の前記第２方向の間隔は、前記第１表示パネル及び前記第２表示パネルそれぞれにおける前記複数のソース線の前記第２方向の間隔の３倍であってもよい。
【００１０】
本発明に係る液晶表示装置では、前記第１表示パネルは、各々が第１方向に延在し、且つ、前記第１方向に交差する第２方向に並べて配置された複数のソース線をさらに含み、前記第２表示パネルは、各々が前記第１方向に延在し、且つ、前記第２方向に並べて配置された複数のソース線をさらに含み、前記第２ブラックマトリクスにおける前記第１方向に延在する部分の前記第２方向の長さは、前記第１ブラックマトリクスにおける前記第１方向に延在する部分の前記第２方向の長さより短くてもよい。
【００１１】
本発明に係る液晶表示装置では、前記複数の画素は、さらに、前記第１の色の視感度より低い視感度である第４の色に対応する第４画素を含み、前記第１画素は白色画素又は黄色画素であり、前記第２画素は赤色画素であり、前記第３画素は緑色画素であり、前記第４画素は青色画素であり、前記第１画素、前記第２画素、前記第３画素、及び前記第４画素が、この順に繰り返し配列されており、前記第２ブラックマトリクスは、平面視で、前記第２画素と前記第３画素との境界に重なる部分と、前記第３画素と前記第４画素との境界に重なる部分とに形成されてもよい。
【００１２】
本発明に係る液晶表示装置では、前記第２ブラックマトリクスは、平面視で、前記第１画素と前記第４画素との境界に重なる部分と、前記第１画素と前記第２画素との境界に重なる部分とに形成されていなくてもよい。
【００１３】
本発明に係る液晶表示装置では、さらに、前記第２ブラックマトリクスは、平面視で、前記第１画素と前記第４画素との境界に重なる部分と、前記第１画素と前記第２画素との境界に重なる部分とに形成されていてもよい。
【００１４】
本発明に係る液晶表示装置では、前記第２表示パネルの前記複数の画素それぞれの面積は、前記第１画素の面積と前記第２画素の面積と前記第３画素の面積と前記第４画素の面積とを合計した面積に等しくてもよい。
【００１５】
本発明に係る液晶表示装置では、前記第１画素は緑色画素であり、前記第２画素は赤色画素であり、前記第３画素は青色画素であり、前記第２画素、前記第１画素、及び前記第３画素が、この順に繰り返し配列されており、前記第２ブラックマトリクスは、平面視で、前記第２画素と前記第３画素との境界に重なる部分に形成されていてもよい。
【００１６】
本発明に係る液晶表示装置では、前記第２ブラックマトリクスは、平面視で、前記第１画素と前記第２画素との境界に重なる部分と、前記第１画素と前記第３画素との境界に重なる部分とに形成されていなくてもよい。
【００１７】
本発明に係る液晶表示装置では、さらに、前記第２ブラックマトリクスは、平面視で、前記第１画素と前記第２画素との境界に重なる部分と、前記第１画素と前記第３画素との境界に重なる部分とに形成されていてもよい。
【００１８】
本発明に係る液晶表示装置では、前記第２表示パネルの前記複数の画素それぞれの面積は、前記第１画素の面積と前記第２画素の面積と前記第３画素の面積とを合計した面積に等しくてもよい。
【００１９】
本発明に係る液晶表示装置では、前記第２表示パネルにおける単位面積当たりの前記画素の数は、前記第１表示パネルにおける単位面積当たりの前記画素の数より少なくてもよい。
【発明の効果】
【００２０】
本発明に係る液晶表示装置によれば、複数の表示パネルを重ね合わせて構成された液晶表示装置において、画素の開口率を低下させることなく混色を抑えることができる。
【図面の簡単な説明】
【００２１】
【図１】本実施形態に係る液晶表示装置の概略構成を示す斜視図である。
【図２】上記液晶表示装置の概略構成を模式的に示す図である。
【図３】実施形態１に係る前側の表示パネルの概略構成を示す平面図である。
【図４】実施形態１に係る後側の表示パネルの概略構成を示す平面図である。
【図５】図３及び図４の５−５´断面図である。
【図６】実施形態１に係る前側の表示パネルの画素と後側の表示パネルの画素との関係を示す平面図である。
【図７】図６に対応する画素の具体的な構成を示す平面図である。
【図８】図７の８−８´切断線における断面図である。
【図９】比較例に係る液晶表示装置における画像表示の一例を示す模式図である。
【図１０】実施形態１に係る液晶表示装置における画像表示の一例を示す模式図である。
【図１１】実施形態２に係る液晶表示装置において、互いに重なり合う、前側の表示パネルの画素と、後側の表示パネルの画素の具体的な構成を示す平面図である。
【図１２】図１１の１２−１２´切断線における断面図である。
【図１３】実施形態２に係る液晶表示装置における画像表示の一例を示す模式図である。
【図１４】実施形態３に係る前側の表示パネルの概略構成を示す平面図である。
【図１５】実施形態３に係る後側の表示パネルの概略構成を示す平面図である。
【図１６】実施形態３に係る前側の表示パネルの画素と後側の表示パネルの画素との関係を示す平面図である。
【図１７】図１６に対応する画素の具体的な構成を示す平面図である。
【図１８】図１７の１８−１８´切断線における断面図である。
【図１９】実施形態４に係る前側の表示パネルの概略構成を示す平面図である。
【図２０】実施形態４に係る後側の表示パネルの概略構成を示す平面図である。
【図２１】実施形態４に係る前側の表示パネルの画素と後側の表示パネルの画素との関係を示す平面図である。
【図２２】図２１に対応する画素の具体的な構成を示す平面図である。
【図２３】図２２の２３−２３´切断線における断面図である。
【図２４】実施形態４に係る液晶表示装置における画像表示の一例を示す模式図である。
【図２５】実施形態５に係る液晶表示装置において、互いに重なり合う、前側の表示パネルの画素と、後側の表示パネルの画素の具体的な構成を示す平面図である。
【図２６】図２５の２６−２６´切断線における断面図である。
【図２７】実施形態５に係る液晶表示装置における画像表示の一例を示す模式図である。
【図２８】実施形態６に係る前側の表示パネルの概略構成を示す平面図である。
【図２９】実施形態６に係る後側の表示パネルの概略構成を示す平面図である。
【図３０】実施形態６に係る前側の表示パネルの画素と後側の表示パネルの画素との関係を示す平面図である。
【図３１】図３０に対応する画素の具体的な構成を示す平面図である。
【図３２】図３１の３２−３２´切断線における断面図である。
【図３３】変形例に係る液晶表示装置の画素の断面図である。
【図３４】本実施形態に係る液晶表示装置における前側の表示パネル及び後側の表示パネルのドライバの構成を示す図である。
【発明を実施するための形態】
【００２２】
本発明の実施形態について、図面を用いて以下に説明する。以下に示す各実施形態に係る液晶表示装置は、画像を表示する複数の表示パネルと、それぞれの表示パネルを駆動する複数の駆動回路（複数のソースドライバ、複数のゲートドライバ）と、それぞれの駆動回路を制御する複数のタイミングコントローラと、外部から入力される入力映像信号に対して画像処理を行い、それぞれのタイミングコントローラに画像データを出力する画像処理部と、複数の表示パネルに背面側から光を照射するバックライトと、を含んでいる。表示パネルの数は限定されず２枚以上であればよい。また複数の表示パネルは、観察者側から見て前後方向に互いに重ね合わされて配置されており、それぞれが画像を表示する。以下では、２枚の表示パネルを備える液晶表示装置ＬＣＤを例に挙げて説明する。
【００２３】
図１は、本実施形態に係る液晶表示装置ＬＣＤの概略構成を示す斜視図である。図１に示すように、液晶表示装置ＬＣＤは、観察者に近い位置（前側）に配置された表示パネルＬＣＰ１と、表示パネルＬＣＰ１より観察者から遠い位置（後側）に配置された表示パネルＬＣＰ２と、表示パネルＬＣＰ１及び表示パネルＬＣＰ２を貼り合わせる接着層ＳＥＦＩＬと、表示パネルＬＣＰ２の背面側に配置されたバックライトＢＬと、表示面側から表示パネルＬＣＰ１及び表示パネルＬＣＰ２を覆うフロントシャーシＦＳとを含んでいる。
【００２４】
図２は、本実施形態に係る液晶表示装置ＬＣＤの概略構成を模式的に示す図である。図２に示すように、表示パネルＬＣＰ１は、第１ソースドライバＳＤ１と第１ゲートドライバＧＤ１とを含み、表示パネルＬＣＰ２は、第２ソースドライバＳＤ２と第２ゲートドライバＧＤ２とを含んでいる。また液晶表示装置ＬＣＤは、第１ソースドライバＳＤ１及び第１ゲートドライバＧＤ１を制御する第１タイミングコントローラＴＣＯＮ１と、第２ソースドライバＳＤ２及び第２ゲートドライバＧＤ２を制御する第２タイミングコントローラＴＣＯＮ２と、第１タイミングコントローラＴＣＯＮ１及び第２タイミングコントローラＴＣＯＮ２に画像データを出力する画像処理部ＩＰＵと、を含んでいる。例えば表示パネルＬＣＰ１は入力映像信号に応じたカラー画像を第１画像表示領域ＤＩＳＰ１に表示し、表示パネルＬＣＰ２は入力映像信号に応じた白黒画像を第２画像表示領域ＤＩＳＰ２に表示する。画像処理部ＩＰＵは、外部のシステム（図示せず）から送信された入力映像信号Ｄａｔａを受信し、周知の画像処理を実行した後、第１タイミングコントローラＴＣＯＮ１に第１画像データＤＡＴ１を出力し、第２タイミングコントローラＴＣＯＮ２に第２画像データＤＡＴ２を出力する。また画像処理部ＩＰＵは、第１タイミングコントローラＴＣＯＮ１及び第２タイミングコントローラＴＣＯＮ２に同期信号等の制御信号（図２では省略）を出力する。例えば第１画像データＤＡＴ１はカラー画像表示用の画像データであり、第２画像データＤＡＴ２は白黒画像表示用の画像データである。
【００２５】
［実施形態１］
図３は実施形態１に係る表示パネルＬＣＰ１の概略構成を示す平面図であり、図４は実施形態１に係る表示パネルＬＣＰ２の概略構成を示す平面図である。図５は、図３及び図４の５−５´切断線における断面図である。
【００２６】
図３及び図５を用いて、表示パネルＬＣＰ１の概略構成について説明する。図５に示すように、表示パネルＬＣＰ１は、バックライトＢＬ側に配置された薄膜トランジスタ基板ＴＦＴ１と、観察者側に配置され、薄膜トランジスタ基板ＴＦＴ１に対向する対向基板ＣＦ１と、薄膜トランジスタ基板ＴＦＴ１及び対向基板ＣＦ１の間に配置された液晶層ＬＣ１と、を含んでいる。表示パネルＬＣＰ１のバックライトＢＬ側には偏光板ＰＯＬ２が配置されており、観察者側には偏光板ＰＯＬ１が配置されている。
【００２７】
薄膜トランジスタ基板ＴＦＴ１には、図３に示すように、第１方向（例えば列方向）に延在する複数のソース線ＳＬと、第１方向とは異なる第２方向（例えば行方向）に延在する複数のゲート線ＧＬとが形成され、複数のソース線ＳＬと複数のゲート線ＧＬとのそれぞれの交差部近傍に薄膜トランジスタＴＦＴが形成されている。表示パネルＬＣＰ１を平面的に見て、隣り合う２本のソース線ＳＬと隣り合う２本のゲート線ＧＬとにより囲まれる領域が１つの画素ＰＩＸ１として規定され、該画素ＰＩＸ１がマトリクス状（行方向及び列方向）に複数配置されている。複数のソース線ＳＬは、行方向に等間隔で配置されており、複数のゲート線ＧＬは、列方向に等間隔で配置されている。薄膜トランジスタ基板ＴＦＴ１には、画素ＰＩＸ１ごとに画素電極ＰＸが形成されており、複数の画素ＰＩＸ１に共通する１つの共通電極ＣＴ（図８参照）が形成されている。薄膜トランジスタＴＦＴを構成するソース電極はソース線ＳＬに電気的に接続され、ドレイン電極ＤＤ（図７参照）はコンタクトホールを介して画素電極ＰＸに電気的に接続され、ゲート電極はゲート線ＧＬに電気的に接続されている。
【００２８】
図５に示すように、対向基板ＣＦ１には、光を透過する光透過部と、光の透過を遮断するブラックマトリクスＢＭ１（遮光部）とが形成されている。光透過部には、各画素ＰＩＸ１に対応して複数のカラーフィルタＦＩＬ（着色層）が形成されている。また、一部の光透過部（図８参照）には、カラーフィルタＦＩＬが形成されておらず、例えばオーバーコート膜ＯＣが形成されている。光透過部は、ブラックマトリクスＢＭ１で囲まれており、例えば矩形状に形成されている。詳細は後述するが、複数のカラーフィルタＦＩＬは、赤色（Ｒ色）の材料で形成され、赤色の光を透過する赤色カラーフィルタＦＩＬＲ（赤色層）と、緑色（Ｇ色）の材料で形成され、緑色の光を透過する緑色カラーフィルタＦＩＬＧ（緑色層）と、青色（Ｂ色）の材料で形成され、青色の光を透過する青色カラーフィルタＦＩＬＢ（青色層）と、を含んでいる。赤色カラーフィルタＦＩＬＲ、緑色カラーフィルタＦＩＬＧ、及び青色カラーフィルタＦＩＬＢは、行方向にこの順に繰り返し配列され、同一色のカラーフィルタＦＩＬが列方向に配列され、行方向及び列方向に隣り合うカラーフィルタＦＩＬの境界部分にブラックマトリクスＢＭ１が形成されている。また、青色カラーフィルタＦＩＬＢと赤色カラーフィルタＦＩＬＲとの間には、カラーフィルタＦＩＬが形成されていない領域（光透過部）が配置されている。各カラーフィルタＦＩＬに対応して、複数の画素ＰＩＸ１は、図３に示すように、赤色カラーフィルタＦＩＬＲに対応する赤色画素ＰＩＸＲと、緑色カラーフィルタＦＩＬＧに対応する緑色画素ＰＩＸＧと、青色カラーフィルタＦＩＬＢに対応する青色画素ＰＩＸＢと、を含んでいる。また、複数の画素ＰＩＸ１は、カラーフィルタＦＩＬが形成されていない領域に対応する白色画素ＰＩＸＷを含んでいる。表示パネルＬＣＰ１では、赤色画素ＰＩＸＲ、緑色画素ＰＩＸＧ、青色画素ＰＩＸＢ、白色画素ＰＩＸＷが行方向にこの順に繰り返し配列されており、列方向には同一色の画素ＰＩＸ１が配列されている。
【００２９】
第１タイミングコントローラＴＣＯＮ１は、周知の構成を備えている。例えば第１タイミングコントローラＴＣＯＮ１は、画像処理部ＩＰＵから出力される第１画像データＤＡＴ１と第１制御信号ＣＳ１（クロック信号、垂直同期信号、水平同期信号等）とに基づいて、第１画像データＤＡ１と、第１ソースドライバＳＤ１及び第１ゲートドライバＧＤ１の駆動を制御するための各種タイミング信号（データスタートパルスＤＳＰ１、データクロックＤＣＫ１、ゲートスタートパルスＧＳＰ１、ゲートクロックＧＣＫ１）とを生成する（図３参照）。第１タイミングコントローラＴＣＯＮ１は、第１画像データＤＡ１と、データスタートパルスＤＳＰ１と、データクロックＤＣＫ１とを第１ソースドライバＳＤ１に出力し、ゲートスタートパルスＧＳＰ１とゲートクロックＧＣＫ１とを第１ゲートドライバＧＤ１に出力する。
【００３０】
第１ソースドライバＳＤ１は、データスタートパルスＤＳＰ１及びデータクロックＤＣＫ１に基づいて、第１画像データＤＡ１に応じたデータ信号（データ電圧）をソース線ＳＬに出力する。第１ゲートドライバＧＤ１は、ゲートスタートパルスＧＳＰ１及びゲートクロックＧＣＫ１に基づいて、ゲート信号（ゲート電圧）をゲート線ＧＬに出力する。
【００３１】
各ソース線ＳＬには、第１ソースドライバＳＤ１からデータ電圧が供給され、各ゲート線ＧＬには、第１ゲートドライバＧＤ１からゲート電圧が供給される。共通電極ＣＴには、コモンドライバ（図示せず）から共通電圧Ｖｃｏｍが供給される。ゲート電圧（ゲートオン電圧）がゲート線ＧＬに供給されると、ゲート線ＧＬに接続された薄膜トランジスタＴＦＴがオンし、薄膜トランジスタＴＦＴに接続されたソース線ＳＬを介して、データ電圧が画素電極ＰＸに供給される。画素電極ＰＸに供給されたデータ電圧と、共通電極ＣＴに供給された共通電圧Ｖｃｏｍとの差により電界が生じる。この電界により液晶を駆動してバックライトＢＬの光の透過率を制御することによって画像表示を行う。表示パネルＬＣＰ１では、赤色画素ＰＩＸＲ、緑色画素ＰＩＸＧ、青色画素ＰＩＸＢ、白色画素ＰＩＸＷそれぞれの画素電極ＰＸに接続されたソース線ＳＬに、所望のデータ電圧を供給することにより、カラー画像表示が行われる。
【００３２】
次に、図４及び図５を用いて、表示パネルＬＣＰ２の構成について説明する。図５に示すように、表示パネルＬＣＰ２は、バックライトＢＬ側に配置された薄膜トランジスタ基板ＴＦＴ２と、観察者側に配置され、薄膜トランジスタ基板ＴＦＴ２に対向する対向基板ＣＦ２と、薄膜トランジスタ基板ＴＦＴ２及び対向基板ＣＦ２の間に配置された液晶層ＬＣ２と、を含んでいる。表示パネルＬＣＰ２のバックライトＢＬ側には偏光板ＰＯＬ４が配置されており、観察者側には偏光板ＰＯＬ３が配置されている。表示パネルＬＣＰ１の偏光板ＰＯＬ２と、表示パネルＬＣＰ２の偏光板ＰＯＬ３との間には、接着層ＳＥＦＩＬが配置されている。
【００３３】
薄膜トランジスタ基板ＴＦＴ２には、図４に示すように、列方向に延在する複数のソース線ＳＬと、行方向に延在する複数のゲート線ＧＬとが形成され、複数のソース線ＳＬと複数のゲート線ＧＬとのそれぞれの交差部近傍に薄膜トランジスタＴＦＴが形成されている。表示パネルＬＣＰ２を平面的に見て、隣り合う２本のソース線ＳＬと隣り合う２本のゲート線ＧＬとにより囲まれる領域が１つの画素ＰＩＸ２として規定され、該画素ＰＩＸ２がマトリクス状（行方向及び列方向）に複数配置されている。複数のソース線ＳＬは、行方向に等間隔で配置されており、複数のゲート線ＧＬは、列方向に等間隔で配置されている。薄膜トランジスタ基板ＴＦＴ２には、画素ＰＩＸ２ごとに画素電極ＰＸが形成されており、複数の画素ＰＩＸ２に共通する１つの共通電極ＣＴ（図８参照）が形成されている。薄膜トランジスタＴＦＴを構成するソース電極はソース線ＳＬに電気的に接続され、ドレイン電極ＤＤ（図７参照）はコンタクトホールを介して画素電極ＰＸに電気的に接続され、ゲート電極はゲート線ＧＬに電気的に接続されている。
【００３４】
図５に示すように、対向基板ＣＦ２には、光を透過する光透過部と、光の透過を遮断するブラックマトリクスＢＭ２（遮光部）とが形成されている。光透過部には、カラーフィルタＦＩＬ（着色部）は形成されておらず、例えばオーバーコート膜ＯＣが形成されている。
【００３５】
第２タイミングコントローラＴＣＯＮ２は、周知の構成を備えている。例えば第２タイミングコントローラＴＣＯＮ２は、画像処理部ＩＰＵから出力される第２画像データＤＡＴ２と第２制御信号ＣＳ２（クロック信号、垂直同期信号、水平同期信号等）とに基づいて、第２画像データＤＡ２と、第２ソースドライバＳＤ２及び第２ゲートドライバＧＤ２の駆動を制御するための各種タイミング信号（データスタートパルスＤＳＰ２、データクロックＤＣＫ２、ゲートスタートパルスＧＳＰ２、ゲートクロックＧＣＫ２）とを生成する（図４参照）。第２タイミングコントローラＴＣＯＮ２は、第２画像データＤＡ２と、データスタートパルスＤＳＰ２と、データクロックＤＣＫ２とを第２ソースドライバＳＤ２に出力し、ゲートスタートパルスＧＳＰ２とゲートクロックＧＣＫ２とを第２ゲートドライバＧＤ２に出力する。
【００３６】
第２ソースドライバＳＤ２は、データスタートパルスＤＳＰ２及びデータクロックＤＣＫ２に基づいて、第２画像データＤＡ２に応じたデータ電圧をソース線ＳＬに出力する。第２ゲートドライバＧＤ２は、ゲートスタートパルスＧＳＰ２及びゲートクロックＧＣＫ２に基づいて、ゲート電圧をゲート線ＧＬに出力する。
【００３７】
各ソース線ＳＬには、第２ソースドライバＳＤ２からデータ電圧が供給され、各ゲート線ＧＬには、第２ゲートドライバＧＤ２からゲート電圧が供給される。共通電極ＣＴには、コモンドライバから共通電圧Ｖｃｏｍが供給される。ゲート電圧（ゲートオン電圧）がゲート線ＧＬに供給されると、ゲート線ＧＬに接続された薄膜トランジスタＴＦＴがオンし、薄膜トランジスタＴＦＴに接続されたソース線ＳＬを介して、データ電圧が画素電極ＰＸに供給される。画素電極ＰＸに供給されたデータ電圧と、共通電極ＣＴに供給された共通電圧Ｖｃｏｍとの差により電界が生じる。この電界により液晶を駆動してバックライトＢＬの光の透過率を制御することによって画像表示を行う。表示パネルＬＣＰ２では、白黒画像表示が行われる。
【００３８】
液晶表示装置ＬＣＤは、表示パネルＬＣＰ２の単位面積当たりの画素ＰＩＸ２の数が、表示パネルＬＣＰ１の単位面積当たりの画素ＰＩＸ１の数より少なくなるように構成されている。例えば、液晶表示装置ＬＣＤは、表示パネルＬＣＰ１の画素ＰＩＸ１の数と表示パネルＬＣＰ２の画素ＰＩＸ２の数とが４対１の割合で構成されている。また、液晶表示装置ＬＣＤでは、表示パネルＬＣＰ１の４個の画素ＰＩＸ１（赤色画素ＰＩＸＲ、緑色画素ＰＩＸＧ、青色画素ＰＩＸＢ、白色画素ＰＩＸＷ）と、表示パネルＬＣＰ２の１個の画素ＰＩＸ２とが、平面視で互いに重畳するように構成されている。
【００３９】
図６は、互いに重なり合う、表示パネルＬＣＰ１の画素ＰＩＸ１と、表示パネルＬＣＰ２の画素ＰＩＸ２との関係を示す平面図であり、図７は、図６に対応する画素ＰＩＸ１、ＰＩＸ２の具体的な構成を示す平面図である。図６に示す例では、表示パネルＬＣＰ１の１個の赤色画素ＰＩＸＲ、１個の緑色画素ＰＩＸＧ、１個の青色画素ＰＩＸＢ、及び１個の白色画素ＰＩＸＷと、表示パネルＬＣＰ２の１個の画素ＰＩＸ２とが平面視で互いに重なり合うように配置されている。表示パネルＬＣＰ１の各画素ＰＩＸ１の面積（大きさ）が互いに等しい場合、表示パネルＬＣＰ２の１個の画素ＰＩＸ２の面積は、表示パネルＬＣＰ１の１個の画素ＰＩＸ１の面積の４倍となっている。また１個の画素ＰＩＸ２の面積は、１個の赤色画素ＰＩＸＲの面積と１個の緑色画素ＰＩＸＧの面積と１個の青色画素ＰＩＸＢの面積と１個の白色画素ＰＩＸＷの面積とを合計した面積に等しくなっている。尚、図６には、共通電極ＣＴに接続される共通配線ＣＬと、液晶容量ＣＬＣとを示している。また図７には、薄膜トランジスタＴＦＴを構成する半導体層ＳＩとドレイン電極ＤＤとを示している。図７に示すように、画素電極ＰＸにスリットが形成されてもよい。
【００４０】
図８は、図７の８−８´切断線における断面図である。図８を用いて画素ＰＩＸ１、ＰＩＸ２の断面構造について説明する。
【００４１】
表示パネルＬＣＰ１の画素ＰＩＸ１を構成する薄膜トランジスタ基板ＴＦＴ１（図５参照）では、透明基板ＳＵＢ２（ガラス基板）上にゲート線ＧＬ（図７参照）が形成されており、ゲート線ＧＬを覆うようにゲート絶縁膜ＧＳＮが形成されている。ゲート絶縁膜ＧＳＮ上にソース線ＳＬが形成されており、ソース線ＳＬを覆うように保護膜ＰＡＳ及び有機膜ＯＰＡＳが形成されており、有機膜ＯＰＡＳ上に共通電極ＣＴが形成されており、共通電極ＣＴを覆うように保護膜ＵＰＡＳが形成されている。保護膜ＵＰＡＳ上に画素電極ＰＸが形成されており、画素電極ＰＸを覆うように配向膜（図示せず）が形成されている。ソース線ＳＬは行方向に等間隔に配置されている。対向基板ＣＦ１（図５参照）では、透明基板ＳＵＢ１（ガラス基板）上に、ブラックマトリクスＢＭ１及びカラーフィルタＦＩＬ（赤色カラーフィルタＦＩＬＲ、緑色カラーフィルタＦＩＬＧ、及び青色カラーフィルタＦＩＬＢ）が形成されている。カラーフィルタＦＩＬの表面にはオーバーコート膜ＯＣが被覆されており、オーバーコート膜ＯＣ上に配向膜（図示せず）が形成されている。
【００４２】
表示パネルＬＣＰ２の画素ＰＩＸ２では、ソース線ＳＬが、平面視で、表示パネルＬＣＰ１の白色画素ＰＩＸＷと赤色画素ＰＩＸＲとの境界に重なる部分に形成されている。またブラックマトリクスＢＭ２が、平面視で、表示パネルＬＣＰ１の赤色画素ＰＩＸＲと緑色画素ＰＩＸＧとの境界に重なる部分と、緑色画素ＰＩＸＧと青色画素ＰＩＸＢとの境界に重なる部分とに形成されている。ブラックマトリクスＢＭ２は、平面視で、表示パネルＬＣＰ１の青色画素ＰＩＸＢと白色画素ＰＩＸＷとの境界に重なる部分と、白色画素ＰＩＸＷと赤色画素ＰＩＸＲとの境界に重なる部分とには形成されていない。このように、ブラックマトリクスＢＭ２は、平面視で、白色画素ＰＩＸＷと、白色画素ＰＩＸＷの両側にそれぞれ配置される青色画素ＰＩＸＢ及び赤色画素ＰＩＸＲとを含む３個の画素ＰＩＸ１を囲むように形成されている。また、表示パネルＬＣＰ２では、平面視で列方向において、ソース線ＳＬとブラックマトリクスＢＭ２とが互いに重畳しておらず、白色画素ＰＩＸＷの境界部分にはブラックマトリクスＢＭ２が形成されていない。また、ブラックマトリクスＢＭ２のうち３個の画素ＰＩＸ１を囲む部分において、列方向に延在する部分の行方向の間隔Ｐ２が、３個分の画素ＰＩＸ１の行方向の幅と等しくなっている。また、上記間隔Ｐ２は、表示パネルＬＣＰ１のソース線ＳＬ（又はブラックマトリクスＢＭ１の列方向に延在する部分）の行方向の間隔Ｐ１の３倍と等しくなっている。また、表示パネルＬＣＰ２の画素ＰＩＸ２では、対向基板ＣＦ２にカラーフィルタＦＩＬが形成されていない。表示パネルＬＣＰ２の画素ＰＩＸ２のその他の画素構造は、表示パネルＬＣＰ１の画素ＰＩＸ１の画素構造と同一である。
【００４３】
ここで、実施形態１に係る液晶表示装置ＬＣＤにおける混色の低減効果について説明する。
【００４４】
図９は、比較例に係る液晶表示装置における画像表示の一例を示す模式図である。比較例に係る液晶表示装置は、１枚のカラー画像表示用の表示パネルＬＣＰを備えている。図９では、赤色の単色画像を表示する場合の画素の様子を示している。赤色画像を表示する場合、図９（ａ）に示すように、赤色画素ＰＩＸＲに対応する液晶層ＬＣがオン状態になり、緑色画素ＰＩＸＧ、青色画素ＰＩＸＢ及び白色画素ＰＩＸＷに対応する液晶層ＬＣがオフ状態になる。この構成において、例えば、薄膜トランジスタ基板及び対向基板の位置ずれが生じた場合、図９（ｂ）に示すように、バックライト光の（Ａ）方向の光が、赤色画素ＰＩＸＲの液晶層ＬＣを通過した後、白色画素ＰＩＸＷの光透過部を通過し、漏れ光として観察者側に出射される。これにより、観察者が（Ａ）方向に対向する方向に表示画面を見た場合に、白浮きした赤色画像が視認される。特に白色画素ＰＩＸＷでは、カラーフィルタＦＩＬが形成されていないため、バックライト光の光量が他の画素に比べて多くなり、漏れ光の影響も大きくなる。このような混色を防ぐ方法として、従来、図９（ｃ）に示すように、白色画素ＰＩＸＷの境界部分のブラックマトリクスＢＭの幅を大きくして、バックライト光の漏れ光を遮光する構成が採用されている。しかし、図９（ｃ）に示す構成では、白色画素ＰＩＸＷの開口幅が狭くなり、画素開口率が低下してしまう。
【００４５】
図１０は、実施形態１に係る液晶表示装置ＬＣＤにおける画像表示の一例を示す模式図である。図９と同様に赤色画像を表示する場合、図１０（ａ）に示すように、表示パネルＬＣＰ１の赤色画素ＰＩＸＲに対応する液晶層ＬＣ１と、表示パネルＬＣＰ２の液晶層ＬＣ２とがオン状態になり、表示パネルＬＣＰ１の緑色画素ＰＩＸＧ、青色画素ＰＩＸＢ及び白色画素ＰＩＸＷに対応する液晶層ＬＣ１がオフ状態になる。尚、図１０において、バックライト光の（Ａ）方向の光は、比較例で示した図９のバックライト光の（Ａ）方向の光と同じ方向の光を示している。実施形態１に係る液晶表示装置ＬＣＤでは、図１０（ｂ）に示すように、バックライト光の（Ａ）方向の光は、表示パネルＬＣＰ２のブラックマトリクスＢＭ２で遮光され、観察者側に出射されない。
【００４６】
このように、実施形態１に係る液晶表示装置ＬＣＤでは、相対的に視感度が高い色に対応する画素（ここでは、白色画素ＰＩＸＷ）に隣接する画素（例えば、赤色画素ＰＩＸＲ）と、この画素に隣接する画素（例えば、緑色画素ＰＩＸＧ）との境界に重なる部分に、ブラックマトリクスＢＭ２を配置することにより、白色画素ＰＩＸＷからの光漏れを抑えることができるため、混色を抑えることができる。また、上記光漏れを抑えるためにブラックマトリクスＢＭ１、ＢＭ２の幅を大きくする必要がないため、画素の開口率の低下を抑えることもできる。
【００４７】
［実施形態２］
本発明の実施形態２について、図面を用いて以下に説明する。なお、説明の便宜上、実施形態１において示した構成要素と構成要素には同一の符号を付し、その説明を省略する。また、実施形態１において定義した用語については特に断らない限り本実施形態においてもその定義に則って用いるものとする。なお、後述の各実施形態についても同様である。
【００４８】
図１１は、実施形態２に係る液晶表示装置ＬＣＤにおいて、互いに重なり合う、表示パネルＬＣＰ１の画素ＰＩＸ１と、表示パネルＬＣＰ２の画素ＰＩＸ２の具体的な構成を示す平面図である。図１２は、図１１の１２−１２´切断線における断面図である。実施形態２に係る液晶表示装置ＬＣＤでは、表示パネルＬＣＰ１は、実施形態１に係る表示パネルＬＣＰ１と同一の構成を有している。また、実施形態２に係る液晶表示装置ＬＣＤでは、実施形態１と同様に、相対的に視感度が高い色に対応する画素（ここでは、白色画素ＰＩＸＷ）に隣接する画素（例えば、赤色画素ＰＩＸＲ）と、この画素に隣接する画素（例えば、緑色画素ＰＩＸＧ）との境界に重なる部分に、ブラックマトリクスＢＭ２が配置されている。さらに、実施形態２に係る液晶表示装置ＬＣＤでは、次に視感度が高い色に対応する画素（ここでは、緑色画素ＰＩＸＧ）に隣接する画素（例えば、赤色画素ＰＩＸＲ）と、この画素に隣接する画素（例えば、白色画素ＰＩＸＷ）との境界に重なる部分に、ブラックマトリクスＢＭ２が配置されている。４種類の色の画素から成る本実施形態では、ブラックマトリクスＢＭ２は、表示パネルＬＣＰ１のブラックマトリクスＢＭ１と同一の構成となる。すなわち、ブラックマトリクスＢＭ２は、平面視で、各画素ＰＩＸ１の境界及び各画素ＰＩＸ２の境界に重なる部分に形成されており、ブラックマトリクスＢＭ１と重畳している。他の構成は、実施形態１に係る液晶表示装置ＬＣＤの構成と同一である。
【００４９】
図１３は、実施形態２に係る液晶表示装置ＬＣＤにおける画像表示の一例を示す模式図である。実施形態２に係る構成においても、実施形態１と同様に、従来の構成と比較して、白色画素ＰＩＸＷからの光漏れ（バックライト光の（Ａ）方向の光）を抑えることができるため、画素の開口率を低下させることなく混色を抑えることができる。また、実施形態２に係る構成によれば、白色画素ＰＩＸＷの次に視感度が高い色に対応する緑色画素ＰＩＸＧに入射されるバックライト光の（Ｂ）方向の光を、表示パネルＬＣＰ２のブラックマトリクスＢＭ２により遮光することができるため、混色をより抑えることができる。
【００５０】
［実施形態３］
図１４は実施形態３に係る表示パネルＬＣＰ１の概略構成を示す平面図であり、図１５は実施形態３に係る表示パネルＬＣＰ２の概略構成を示す平面図である。図１６は、互いに重なり合う、表示パネルＬＣＰ１の画素ＰＩＸ１と、表示パネルＬＣＰ２の画素ＰＩＸ２との関係を示す平面図であり、図１７は、図１６に対応する画素ＰＩＸ１、ＰＩＸ２の具体的な構成を示す平面図である。図１８は、図１７の１８−１８´切断線における断面図である。
【００５１】
実施形態３に係る液晶表示装置ＬＣＤでは、表示パネルＬＣＰ１の単位面積当たりの画素ＰＩＸ１の数と、表示パネルＬＣＰ２の単位面積当たりの画素ＰＩＸ２の数とが等しくなっており、表示パネルＬＣＰ１及び表示パネルＬＣＰ２は互いに同一の解像度を有している。表示パネルＬＣＰ１のソース線と、表示パネルＬＣＰ２のソース線とは、平面視で互いに重畳するように配置されている。他の構成は、実施形態１に係る液晶表示装置ＬＣＤの構成と同一である。すなわち、ブラックマトリクスＢＭ２は、実施形態１と同様、平面視で、表示パネルＬＣＰ１の赤色画素ＰＩＸＲと緑色画素ＰＩＸＧとの境界に重なる部分と、緑色画素ＰＩＸＧと青色画素ＰＩＸＢとの境界に重なる部分とに形成されており、表示パネルＬＣＰ１の青色画素ＰＩＸＢと白色画素ＰＩＸＷとの境界に重なる部分と、白色画素ＰＩＸＷと赤色画素ＰＩＸＲとの境界に重なる部分とには形成されていない。
【００５２】
実施形態３に係る構成においても、実施形態１と同様に、従来の構成と比較して、白色画素ＰＩＸＷからの光漏れを抑えることができるため、画素の開口率を低下させることなく混色を抑えることができる。
【００５３】
本発明の液晶表示装置ＬＣＤは上記実施形態１〜３に限定されず、例えば、表示パネルＬＣＰ１の複数の画素ＰＩＸ１が、白色画素ＰＩＸＷを含まず、赤色画素ＰＩＸＲ、緑色画素ＰＩＸＧ及び青色画素ＰＩＸＢで構成されていてもよい。赤色画素ＰＩＸＲ、緑色画素ＰＩＸＧ及び青色画素ＰＩＸＢからなる液晶表示装置ＬＣＤについて、以下の実施形態４〜６を例に挙げて説明する。
【００５４】
［実施形態４］
図１９は実施形態４に係る表示パネルＬＣＰ１の概略構成を示す平面図であり、図２０は実施形態４に係る表示パネルＬＣＰ２の概略構成を示す平面図である。
【００５５】
図１９に示すように、表示パネルＬＣＰ１では、赤色画素ＰＩＸＲ、緑色画素ＰＩＸＧ、青色画素ＰＩＸＢが行方向にこの順に繰り返し配列されており、列方向には同一色の画素ＰＩＸ１が配列されている。表示パネルＬＣＰ１では、赤色画素ＰＩＸＲ、緑色画素ＰＩＸＧ、青色画素ＰＩＸＢそれぞれの画素電極ＰＸに接続されたソース線ＳＬに、所望のデータ電圧を供給することにより、カラー画像表示が行われる。
【００５６】
図２０に示すように、表示パネルＬＣＰ２では、単位面積当たりの画素ＰＩＸ２の数が、表示パネルＬＣＰ１の単位面積当たりの画素ＰＩＸ１の数より少なくなるように構成されている。例えば、液晶表示装置ＬＣＤは、表示パネルＬＣＰ１の画素ＰＩＸ１の数と表示パネルＬＣＰ２の画素ＰＩＸ２の数とが３対１の割合で構成されている。また、表示パネルＬＣＰ１の３個の画素ＰＩＸ１（赤色画素ＰＩＸＲ、緑色画素ＰＩＸＧ、青色画素ＰＩＸＢ）と、表示パネルＬＣＰ２の１個の画素ＰＩＸ２とが、平面視で互いに重畳するように構成されている。
【００５７】
図２１は、互いに重なり合う、表示パネルＬＣＰ１の画素ＰＩＸ１と、表示パネルＬＣＰ２の画素ＰＩＸ２との関係を示す平面図であり、図２２は、図２１に対応する画素ＰＩＸ１、ＰＩＸ２の具体的な構成を示す平面図である。
【００５８】
図２１に示す例では、表示パネルＬＣＰ１の１個の赤色画素ＰＩＸＲ、１個の緑色画素ＰＩＸＧ、及び１個の青色画素ＰＩＸＢと、表示パネルＬＣＰ２の１個の画素ＰＩＸ２とが平面視で互いに重なり合うように配置されている。表示パネルＬＣＰ１の各画素ＰＩＸ１の面積（大きさ）が互いに等しい場合、表示パネルＬＣＰ２の１個の画素ＰＩＸ２の面積は、表示パネルＬＣＰ１の１個の画素ＰＩＸ１の面積の３倍となっている。また１個の画素ＰＩＸ２の面積は、１個の赤色画素ＰＩＸＲの面積と１個の緑色画素ＰＩＸＧの面積と１個の青色画素ＰＩＸＢの面積とを合計した面積に等しくなっている。
【００５９】
図２３は、図２２の２３−２３´切断線における断面図である。図２３に示すように、ブラックマトリクスＢＭ２は、平面視で、表示パネルＬＣＰ１の青色画素ＰＩＸＢと赤色画素ＰＩＸＲとの境界に重なる部分に形成されており、表示パネルＬＣＰ１の赤色画素ＰＩＸＲと緑色画素ＰＩＸＧとの境界に重なる部分と、緑色画素ＰＩＸＧと青色画素ＰＩＸＢとの境界に重なる部分とには形成されていない。このように、ブラックマトリクスＢＭ２は、平面視で、緑色画素ＰＩＸＧと、緑色画素ＰＩＸＧの両側にそれぞれ配置される赤色画素ＰＩＸＲ及び青色画素ＰＩＸＢとを含む３個の画素ＰＩＸ１を囲むように形成されている。また、ブラックマトリクスＢＭ２のうち３個の画素ＰＩＸ１を囲む部分において、列方向に延在する部分の行方向の間隔Ｐ２が、３個分の画素ＰＩＸ１の行方向の幅と等しくなっている。また、上記間隔Ｐ２は、表示パネルＬＣＰ１のソース線ＳＬ（又はブラックマトリクスＢＭ１の列方向に延在する部分）の行方向の間隔Ｐ１の３倍と等しくなっている。ブラックマトリクスＢＭ２は、相対的に視感度が高い色に対応する画素（ここでは、緑色画素ＰＩＸＧ）に隣接する画素（例えば、青色画素ＰＩＸＢ）と、この画素に隣接する画素（例えば、赤色画素ＰＩＸＲ）との境界に重なる部分に形成されている。
【００６０】
図２４は、実施形態４に係る液晶表示装置ＬＣＤにおける画像表示の一例を示す模式図である。図２４では、青色画像を表示する場合を示している。図２４に示すように、実施形態４に係る構成では、緑色画素ＰＩＸＧからの光漏れを抑えることができるため、緑色の漏れ光による混色を抑えることができる。また、上記光漏れを抑えるためにブラックマトリクスＢＭ１、ＢＭ２の幅を大きくする必要がないため、画素の開口率の低下を抑えることもできる。
【００６１】
ここで、表示パネルＬＣＰ２のブラックマトリクスＢＭ２における列方向に延在する部分ＢＭ２ａ（図２２（ｂ）参照）の行方向の長さＬ２（図２３参照）は、表示パネルＬＣＰ１のブラックマトリクスＢＭ１における列方向に延在する部分ＢＭ１ａ（図２２（ａ）参照）の行方向の長さＬ１（図２３参照）より短くてもよい。また、上記部分ＢＭ２ａの行方向の長さＬ２は、表示パネルＬＣＰ１，ＬＣＰ２のソース線ＳＬの行方向の長さＬ３（図２３参照）より短くてもよい。また、ブラックマトリクスＢＭ２は、上記部分ＢＭ２ａを含まず、行方向に延在する部分のみから成るストライプ状に形成されてもよい。これにより、表示パネルＬＣＰ２から出射され、表示パネルＬＣＰ１に入射される光量を増加させることができる。尚、これらブラックマトリクスＢＭ２の構成は、他の各実施形態に係るブラックマトリクスＢＭ２にも適用することができる。
【００６２】
［実施形態５］
図２５は、実施形態５に係る液晶表示装置ＬＣＤにおいて、互いに重なり合う、表示パネルＬＣＰ１の画素ＰＩＸ１と、表示パネルＬＣＰ２の画素ＰＩＸ２の具体的な構成を示す平面図である。図２６は、図２５の２６−２６´切断線における断面図である。実施形態５に係る液晶表示装置ＬＣＤでは、表示パネルＬＣＰ１は、実施形態４に係る表示パネルＬＣＰ１と同一の構成を有している。表示パネルＬＣＰ２では、ブラックマトリクスＢＭ２が、表示パネルＬＣＰ１のブラックマトリクスＢＭ１と同一の構成を有している。すなわち、ブラックマトリクスＢＭ２は、平面視で、各画素ＰＩＸ１の境界及び各画素ＰＩＸ２の境界に重なる部分に形成されており、ブラックマトリクスＢＭ１と重畳している。他の構成は、実施形態４に係る液晶表示装置ＬＣＤの構成と同一である。
【００６３】
図２７は、実施形態５に係る液晶表示装置ＬＣＤにおける画像表示の一例を示す模式図である。実施形態５に係る構成においても、実施形態４と同様に、緑色画素ＰＩＸＧからの光漏れ（バックライト光の（Ａ）方向の光）を抑えることができるため、画素の開口率を低下させることなく混色を抑えることができる。また、実施形態５に係る構成によれば、緑色画素ＰＩＸＧの次に視感度が高い色に対応する赤色画素ＰＩＸＲに入射されるバックライト光の（Ｂ）方向の光を、表示パネルＬＣＰ２のブラックマトリクスＢＭ２により遮光することができるため、混色をより抑えることができる。
【００６４】
［実施形態６］
図２８は実施形態６に係る表示パネルＬＣＰ１の概略構成を示す平面図であり、図２９は実施形態６に係る表示パネルＬＣＰ２の概略構成を示す平面図である。図３０は、互いに重なり合う、表示パネルＬＣＰ１の画素ＰＩＸ１と、表示パネルＬＣＰ２の画素ＰＩＸ２との関係を示す平面図であり、図３１は、図３０に対応する画素ＰＩＸ１、ＰＩＸ２の具体的な構成を示す平面図である。図３２は、図３１の３２−３２´切断線における断面図である。
【００６５】
実施形態６に係る液晶表示装置ＬＣＤでは、表示パネルＬＣＰ１の単位面積当たりの画素ＰＩＸ１の数と、表示パネルＬＣＰ２の単位面積当たりの画素ＰＩＸ２の数とが等しくなっており、表示パネルＬＣＰ１及び表示パネルＬＣＰ２は互いに同一の解像度を有している。表示パネルＬＣＰ１のソース線と、表示パネルＬＣＰ２のソース線とは、平面視で互いに重畳するように配置されている。他の構成は、実施形態４に係る液晶表示装置ＬＣＤの構成と同一である。すなわち、ブラックマトリクスＢＭ２は、実施形態４と同様、平面視で、表示パネルＬＣＰ１の青色画素ＰＩＸＢと赤色画素ＰＩＸＲとの境界に重なる部分に形成されており、表示パネルＬＣＰ１の赤色画素ＰＩＸＲと緑色画素ＰＩＸＧとの境界に重なる部分と、緑色画素ＰＩＸＧと青色画素ＰＩＸＢとの境界に重なる部分とには形成されていない。
【００６６】
実施形態６に係る構成においても、実施形態４と同様に、緑色画素ＰＩＸＧからの光漏れを抑えることができるため、画素の開口率を低下させることなく混色を抑えることができる。
【００６７】
本発明の液晶表示装置ＬＣＤは上記各実施形態に限定されない。例えば、上記実施形態１〜３において、白色画素ＰＩＸＷの代わりに黄色画素が含まれていてもよい。図３３に示すように、黄色画素では、表示パネルＬＣＰ１に黄色カラーフィルタＦＩＬＹ（黄色層）が形成されている。この構成では、例えば黄色画素からの光漏れを抑えることができるため、黄色の漏れ光による混色を抑えることができる。
【００６８】
また、上記実施形態１、２、４、５では、例えば図３４に示すように、表示パネルＬＣＰ２に実装されるソースドライバＩＣ（ＳＩＣ）の数が、表示パネルＬＣＰ１に実装されるソースドライバＩＣ（ＳＩＣ）の数より少ない構成であってもよい。これにより、表示パネルＬＣＰ１と比較して、表示パネルＬＣＰ２のソースドライバＩＣの数を削減することができるため、液晶表示装置ＬＣＤのコストを低減することができる。
【００６９】
尚、上記各実施形態に係る液晶表示装置ＬＣＤでは、表示パネルＬＣＰ１がカラー画像を表示し、表示パネルＬＣＰ２が白黒画像を表示する構成であるが、本発明の液晶表示装置はこれに限定されない。例えば、表示パネルＬＣＰ１が白黒画像を表示し、表示パネルＬＣＰ２がカラー画像を表示する構成でもよい。
【００７０】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００７１】
ＬＣＤ  液晶表示装置、ＬＣＰ１  表示パネル、ＳＤ１  第１ソースドライバ、ＧＤ１  第１ゲートドライバ、ＴＣＯＮ１  第１タイミングコントローラ、ＬＣＰ２  表示パネル、ＳＤ２  第２ソースドライバ、ＳＩＣ  ソースドライバＩＣ、ＧＩＣ  ゲートドライバＩＣ、ＧＤ２  第２ゲートドライバ、ＴＣＯＮ２  第２タイミングコントローラ、ＩＰＵ  画像処理部、ＳＬ  ソース線、ＧＬ  ゲート線、ＰＯＬ１〜ＰＯＬ４  偏光板、ＢＭ１，ＢＭ２  ブラックマトリクス、ＢＭ１ａ  （ブラックマトリクスＢＭ１の列方向に延在する）部分、ＢＭ２ａ  （ブラックマトリクスＢＭ２の列方向に延在する）部分、ＦＩＬ  カラーフィルタ、ＰＩＸ１，ＰＩＸ２  画素、ＰＩＸＲ  赤色画素、ＰＩＸＧ  緑色画素、ＰＩＸＢ  青色画素、ＰＩＸＷ  白色画素。
【図１】
2018072755.tif 000003
【図２】
2018072755.tif 000004
【図３】
2018072755.tif 000005
【図４】
2018072755.tif 000006
【図５】
2018072755.tif 000007
【図６】
2018072755.tif 000008
【図７】
2018072755.tif 000009
【図８】
2018072755.tif 000010
【図９】
2018072755.tif 000011
【図１０】
2018072755.tif 000012
【図１１】
2018072755.tif 000013
【図１２】
2018072755.tif 000014
【図１３】
2018072755.tif 000015
【図１４】
2018072755.tif 000016
【図１５】
2018072755.tif 000017
【図１６】
2018072755.tif 000018
【図１７】
2018072755.tif 000019
【図１８】
2018072755.tif 000020
【図１９】
2018072755.tif 000021
【図２０】
2018072755.tif 000022
【図２１】
2018072755.tif 000023
【図２２】
2018072755.tif 000024
【図２３】
2018072755.tif 000025
【図２４】
2018072755.tif 000026
【図２５】
2018072755.tif 000027
【図２６】
2018072755.tif 000028
【図２７】
2018072755.tif 000029
【図２８】
2018072755.tif 000030
【図２９】
2018072755.tif 000031
【図３０】
2018072755.tif 000032
【図３１】
2018072755.tif 000033
【図３２】
2018072755.tif 000034
【図３３】
2018072755.tif 000035
【図３４】
2018072755.tif 000036